(57)【特許請求の範囲】
【請求項１】
高解像度のデジタル放送を受信する第１の受信手段と、
低解像度のデジタル放送を受信する第２の受信手段と、
前記第１の受信手段と前記第２の受信手段とでそれぞれ受信している放送がサイマル放送であるとき、電波の状態によって前記第１の受信手段と前記第２の受信手段とを自動的に切り替える切替手段と、
前記第１の受信手段および前記第２の受信手段がそれぞれ受信している放送の字幕が表示されていないタイミングで、前記第２の受信手段から前記第１の受信手段への切り替えを前記切替手段に実行させる切替制御手段と、
前記第１の受信手段の受信している放送に含まれる字幕表示が途切れたときに、その直前の字幕データを記憶する第１の記憶処理手段と、
前記字幕データを記憶しておく第１の記憶手段と、
を備え、
前記切替制御手段は、前記第２の受信手段の受信している放送の字幕データが前記第１の記憶手段に記憶された字幕データと一致し、前記第２の受信手段の受信している放送の字幕表示が途切れ、かつ前記第１の受信手段の受信している放送の字幕表示が再開されていないことを条件として、前記第２の受信手段から前記第１の受信手段への切り替えを前記切替手段に実行させる
ことを特徴とするデジタル放送受信装置。
【請求項２】
前記第１の記憶処理手段は、前記第１の受信手段の受信している放送の字幕表示が再開されたときには、その再開された字幕表示が途切れたときに字幕データを更新することを特徴とする請求項１記載のデジタル放送受信装置。
【請求項３】
前記第２の受信手段の受信している放送の字幕データが前記第１の記憶手段に記憶された字幕データと一致しているかどうかは、制御符号を除いたテキストデータの比較により判断することを特徴とする請求項１記載のデジタル放送受信装置。
【請求項４】
高解像度のデジタル放送を受信する第１の受信手段と、
低解像度のデジタル放送を受信する第２の受信手段と、
前記第１の受信手段と前記第２の受信手段とでそれぞれ受信している放送がサイマル放送であるとき、電波の状態によって前記第１の受信手段と前記第２の受信手段とを自動的に切り替える切替手段と、
前記第１の受信手段および前記第２の受信手段がそれぞれ受信している放送の字幕が表示されていないタイミングで、前記第２の受信手段から前記第１の受信手段への切り替えを前記切替手段に実行させる切替制御手段と、
前記第１の受信手段および前記第２の受信手段がそれぞれ受信している放送に含まれる内容が一致する字幕データの表示タイミングの差から算出した遅延時間差を記憶する第２の記憶処理手段と、
前記遅延時間差を記憶しておく第２の記憶手段と、
を備え、
前記切替制御手段は、
前記第１の受信手段の受信している放送に含まれる字幕表示が途切れたときに、前記第２の記憶手段の記憶している前記遅延時間差が経過した後に、前記第１の受信手段の受信している放送の字幕表示が再開されていないことを条件として、前記第２の受信手段から前記第１の受信手段への切り替えを前記切替手段に実行させることを特徴とするデジタル放送受信装置。
【請求項５】
デジタル放送の高解像度放送と低解像度放送とを受信してその一方を出力するデジタル放送受信装置の制御コンピュータに、
受信した高解像度放送と低解像度放送とがサイマル放送であり、双方の放送に字幕データが含まれ、かつ低解像度放送から高解像度放送に出力を切り替える際に、双方の放送の字幕が表示されていないタイミングで切り替えを実行する手順を実行させ、
前記切り替えを実行する手順は、
高解像度放送に含まれる字幕表示が消去されるタイミングを監視する手順と、
高解像度放送の字幕表示が途切れたとき、その字幕表示が途切れる直前の字幕データの内容を記憶する手順と、
低解像度放送の字幕データで、保存されている高解像度放送の字幕データと内容が一致するものを探す手順と、
保存されている高解像度放送の字幕データの内容と一致する低解像度放送の字幕表示が消去されたとき、高解像度放送の字幕表示が再開されているかを確認する手順と、
高解像度放送の字幕表示が再開されていない場合に出力を高解像度放送へ切り替える手順とを含むことを特徴とするコンピュータプログラム。
【請求項６】
デジタル放送の高解像度放送と低解像度放送とを受信してその一方を出力するデジタル放送受信装置の制御コンピュータに、
受信した高解像度放送と低解像度放送とがサイマル放送であり、双方の放送に字幕データが含まれ、かつ低解像度放送から高解像度放送に出力を切り替える際に、双方の放送の字幕が表示されていないタイミングで切り替えを実行する手順を実行させ、
前記切り替えを実行する手順は、
前記高解像度放送および前記低解像度放送に含まれる内容が一致する字幕データの表示タイミングの差から算出した遅延時間差を記憶しておく手順と、
前記高解像度放送に含まれる字幕表示が途切れたときに、前記記憶しておいた遅延時間差が経過した後に、前記高解像度放送の字幕表示が再開されていないことを条件として、低解像度放送から高解像度放送に出力を切り替える手順とを含むことを特徴とするコンピュータプログラム。
【発明の詳細な説明】
【技術分野】
【０００１】
本発明は、デジタル放送受信装置およびそれにインストールされるコンピュータプログラムに関する。
【背景技術】
【０００２】
地上波デジタル放送には、固定受信機向けを想定した高解像度放送と、移動体受信機向けを想定した低解像度放送とが存在する。また、車載用の受信機には、受信している電波の状態によって高解像度放送と低解像度放送とを自動的に切り替える機能を搭載したものもある。
【０００３】
高解像度放送と低解像度放送とを切り替える場合に、互いの出力タイミングの差が問題となる。低解像度放送は高解像度放送よりも高い圧縮率でエンコードされており、放送局側でエンコードに要する時間の差が、受信機側でもデコードに要する時間の差がそれぞれ生じ、これらの合計が出力タイミングの差として現れる。このため、単純に低解像度放送から高解像度放送に切り替えると、低解像度放送の出力が高解像度放送の出力よりも遅れているため、出力すべきシーンが欠落してしまい、視聴者が番組の内容を把握できなくなる場合がある。
【０００４】
このような問題を解決するための技術として、特許文献１、２には、高解像度放送と低解像度放送とがサイマル放送であった場合に、低解像度放送の出力タイミングに合わせて高解像度放送の出力を遅らせることが開示されている。
【０００５】
【特許文献１】特開２００４−１６６１７３号公報
【特許文献２】特開２００７−０４９４６０号公報
【発明の開示】
【発明が解決しようとする課題】
【０００６】
しかし、特許文献１、２にそれぞれ記載の技術では、常に高解像度放送を遅らせて出力しているため、放送のリアルタイム性を保持できない問題がある。また、高解像度放送の出力を遅らせるために、十分な容量の記憶媒体が必要となる。
【０００７】
本発明は、このような課題を解決すること、すなわち、高解像度放送の出力を遅らせることなく、視聴者による番組内容の把握になるべく影響を及ぼさないように、低解像度放送から高解像度放送への出力の切り替えを行うことを目的とする。
【課題を解決するための手段】
【０００８】
上記目的を達成するため、本発明は、高解像度のデジタル放送を受信する第１の受信手段と、低解像度のデジタル放送を受信する第２の受信手段と、第１の受信手段と第２の受信手段とでそれぞれ受信している放送がサイマル放送であるとき、電波の状態によって第１の受信手段と第２の受信手段とを自動的に切り替える切替手段と、第１の受信手段および第２の受信手段がそれぞれ受信している放送の字幕が表示されていないタイミングで、第２の受信手段から第１の受信手段への切り替えを切替手段に実行させる切替制御手段と、第１の受信手段の受信している放送に含まれる字幕表示が途切れたときに、その直前の字幕データを記憶する第１の記憶処理手段と、字幕データを記憶しておく第１の記憶手段と、を備え、切替制御手段は、第２の受信手段の受信している放送の字幕データが第１の記憶手段に記憶された字幕データと一致し、第２の受信手段の受信している放送の字幕表示が途切れ、かつ第１の受信手段の受信している放送の字幕表示が再開されていないことを条件として、第２の受信手段から第１の受信手段への切り替えを切替手段に実行させるデジタル放送受信装置としている。
【０００９】
また、別の本発明は、先の発明において、第１の記憶処理手段は、第１の受信手段の受信している放送の字幕表示が再開されたときには、その再開された字幕表示が途切れたときに字幕データを更新するデジタル放送受信装置としている。
【００１０】
また、別の本発明は、先の発明において、第２の受信手段の受信している放送の字幕データが第１の記憶手段に記憶された字幕データと一致しているかどうかは、制御符号を除いたテキストデータの比較により判断するデジタル放送受信装置としている。
【００１１】
また、本発明は、高解像度のデジタル放送を受信する第１の受信手段と、低解像度のデジタル放送を受信する第２の受信手段と、第１の受信手段と第２の受信手段とでそれぞれ受信している放送がサイマル放送であるとき、電波の状態によって第１の受信手段と第２の受信手段とを自動的に切り替える切替手段と、第１の受信手段および第２の受信手段がそれぞれ受信している放送の字幕が表示されていないタイミングで、第２の受信手段から第１の受信手段への切り替えを切替手段に実行させる切替制御手段と、第１の受信手段および第２の受信手段がそれぞれ受信している放送に含まれる内容が一致する字幕データの表示タイミングの差から算出した遅延時間差を記憶する第２の記憶処理手段と、遅延時間差を記憶しておく第２の記憶手段と、を備え、切替制御手段は、第１の受信手段の受信している放送に含まれる字幕表示が途切れたときに、第２の記憶手段の記憶している遅延時間差が経過した後に、第１の受信手段の受信している放送の字幕表示が再開されていないことを条件として、第２の受信手段から第１の受信手段への切り替えを切替手段に実行させるデジタル放送受信装置としている。
【００１２】
また、本発明は、デジタル放送の高解像度放送と低解像度放送とを受信してその一方を出力するデジタル放送受信装置の制御コンピュータに、受信した高解像度放送と低解像度放送とがサイマル放送であり、双方の放送に字幕データが含まれ、かつ低解像度放送から高解像度放送に出力を切り替える際に、双方の放送の字幕が表示されていないタイミングで切り替えを実行する手順を実行させ、切り替えを実行する手順は、高解像度放送に含まれる字幕表示が消去されるタイミングを監視する手順と、高解像度放送の字幕表示が途切れたとき、その字幕表示が途切れる直前の字幕データの内容を記憶する手順と、低解像度放送の字幕データで、保存されている高解像度放送の字幕データと内容が一致するものを探す手順と、保存されている高解像度放送の字幕データの内容と一致する低解像度放送の字幕表示が消去されたとき、高解像度放送の字幕表示が再開されているかを確認する手順と、高解像度放送の字幕表示が再開されていない場合に出力を高解像度放送へ切り替える手順とを含むコンピュータプログラムとしている。
【００１３】
また、本発明は、デジタル放送の高解像度放送と低解像度放送とを受信してその一方を出力するデジタル放送受信装置の制御コンピュータに、受信した高解像度放送と低解像度放送とがサイマル放送であり、双方の放送に字幕データが含まれ、かつ低解像度放送から高解像度放送に出力を切り替える際に、双方の放送の字幕が表示されていないタイミングで切り替えを実行する手順を実行させ、切り替えを実行する手順は、高解像度放送および低解像度放送に含まれる内容が一致する字幕データの表示タイミングの差から算出した遅延時間差を記憶しておく手順と、高解像度放送に含まれる字幕表示が途切れたときに、記憶しておいた遅延時間差が経過した後に、高解像度放送の字幕表示が再開されていないことを条件として、低解像度放送から高解像度放送に出力を切り替える手順とを含むコンピュータプログラムとしている。
【発明の効果】
【００１５】
本発明によれば、高解像度放送の出力を遅らせることなく、視聴者による番組内容の把握になるべく影響を及ぼさないように、低解像度放送から高解像度放送への出力の切り替えを行うことができる。
【発明を実施するための最良の形態】
【００１６】
（第１の実施の形態）
図１は、本発明の第１の実施の形態に係るデジタル放送受信装置のブロック構成図である。
【００１７】
このデジタル放送受信装置は、地上波デジタル放送を受信する装置であり、直交波周波数分割多重（OFDM: Orthogonal Frequency Division Multiple）された地上波デジタル放送信号を受信するチューナ１と、このチューナ１の受信信号を復調するＯＦＤＭ復調部２と、復調信号を低解像度のデジタル放送の信号（以下、低解像度放送信号という）と高解像度のデジタル放送の信号（以下、高解像度放送信号という）とに分割する多重分離部（ＤＥＭＵＸ）３と、高解像度放送信号を受信する第１の受信手段である高解像度放送映像音声デコーダ４と、低解像度放送信号を受信する第２の受信手段である低解像度放送映像音声デコーダ５と、高解像度放送映像音声デコーダ４の出力と低解像度放送映像音声デコーダ５の出力とを切り替える切替手段である出力切替部６と、出力切替部６からの出力を映像および音声として表示する出力部７と、この装置の各部を制御する中央処理装置（ＣＰＵ）８および記憶装置（ＭＥＭ）９を備える。記憶装置９は、ＲＯＭ、ＲＡＭ、ＥＥＰＲＯＭ、ＨＤＤ等を備える。ただし、記憶装置９は、最低限、データの読み書きができる装置であれば、上述の構成に限定されない。
【００１８】
この構成において、中央処理装置８は、高解像度放送映像音声デコーダ４および低解像度放送映像音声デコーダ５の動作を監視し、それぞれが受信している放送がサイマル放送であるとき、電波の状態によって出力切替部６を制御して、高解像度放送映像音声デコーダ４の出力と低解像度放送映像音声デコーダ５の出力とを自動的に切り替えるようにする切替制御手段として機能する。
【００１９】
図２は、上記の切替処理の基本的な処理の流れを示すフローチャートである。
【００２０】
高解像度放送が受信可能であり（Ｓ１１）、高解像度放送の映像および音声を出力中（Ｓ１２）、ならびに、高解像度放送が受信できず（Ｓ１１）、高解像度放送の映像および音声の出力中でない（Ｓ１３）場合には、切り替えの必要はない。高解像度放送が受信可能であり（Ｓ１１）、高解像度放送の映像および音声を出力中（Ｓ１２）でない場合には、高解像度放送に切り替える（Ｓ１４）。また、高解像度放送が受信できず（Ｓ１１）、高解像度放送の映像および音声を出力中（Ｓ１３）の場合には、低解像度放送に切り替える（Ｓ１５）。
【００２１】
図３および図４は、低解像度放送の出力が高解像度放送の出力よりも遅れる理由を説明する図であり、図３は送信側、図４は受信側を示す。
【００２２】
上述したように、低解像度放送は高解像度放送よりも高い圧縮率でエンコードする必要があるため、放送局側でエンコードに要する時間の差が生じ、それが送出タイミングの差となる。また、受信側においても、デコードに要する時間の差が生じ、それらの合計が、出力タイミングの差となる。
【００２３】
本発明の第１の実施の形態に係るデジタル放送受信装置は、この出力タイミングの差はそのままに、高解像度放送の字幕と低解像度放送の字幕を利用し、それぞれの字幕が表示されていないタイミングで、低解像度放送から高解像度放送へと出力を切り替える。すなわち、中央処理装置８は、高解像度放送映像音声デコーダ４の出力から低解像度放送映像音声デコーダ５の出力への切り替えを行う際に、それぞれが受信している放送の字幕が表示されていないタイミングで切り替えが実行されるように、出力切替部６を制御する。
【００２４】
デジタル放送では、字幕が映像信号とは別の信号で伝送されるため、実際に字幕を表示するか否かはユーザの設定で切替可能である。このため、字幕が表示されていないタイミングとしては、
（１）受信した放送に字幕表示が含まれているかどうかに関わらず、ユーザが字幕の画像表示をオフにしている状態、
（２）ユーザが字幕の画像表示をオンにしているが、受信した放送に字幕表示が含まれていない状態の二つがある。
さらに、（１）には、
（３）ユーザが字幕の画像表示をオフにし、かつ、受信した放送に字幕表示が含まれていない状態
が含まれる。
本発明は（１）から（３）のいずれのタイミングで切り替えを実行してもよいが、字幕データと音声とに同期関係がある場合には、ユーザが字幕の画像表示をオンにしているかオフにしているかに関わらず、受信した放送に字幕表示が含まれていないタイミング（２）、（３）で切り替えを実行することが望ましい。
【００２５】
ここで、直前の字幕の内容が一致していることを条件として切り替えを行う場合を例に説明する。第１の実施の形態において、中央処理装置８は、低解像度放送映像音声デコーダ５の受信している放送に含まれる字幕表示が途切れたときに、その直前の字幕データを第１の記憶手段である記憶装置９に記憶する第１の記憶処理手段として機能する。中央処理装置８は、切替制御手段として、低解像度放送映像音声デコーダ５の受信している放送の字幕データが記憶装置９に記憶された字幕データと一致し、その放送の字幕表示が途切れ、かつ高解像度放送映像音声デコーダ４の受信している放送の字幕表示が再開されていないことを条件として、出力切替部６に、低解像度放送映像音声デコーダ５から低解像度放送映像音声デコーダ５への切り替えを行わせる。
【００２６】
この処理につき、図５を参照して詳しく説明する。図５は、低解像度放送から高解像度放送への切替処理の流れを示すフローチャートである。
【００２７】
中央処理装置８は、高解像度放送に含まれる字幕表示が消去されるタイミングを監視し（Ｓ２１）、高解像度放送の字幕表示が途切れたとき、その字幕表示が途切れる直前の字幕データの内容を記憶装置９に記憶する（Ｓ２２）。続いて、低解像度放送の字幕データで、記憶装置９に記憶されている高解像度放送の字幕データと内容が一致するものを探す（Ｓ２３）。記憶されている高解像度放送の字幕データの内容と一致する低解像度放送の字幕表示があり（Ｓ２４）、それが消去されたとき（Ｓ２５）、高解像度放送の字幕表示が再開されているかを確認する（Ｓ２６）。そして、高解像度放送の字幕表示が再開されていない場合に、出力を高解像度放送へ切り替える（Ｓ２７）。
【００２８】
保存されている高解像度放送の字幕データの内容と一致する低解像度放送の字幕表示がなく（Ｓ２４）、保存されている字幕データが第１の記憶処理手段としての中央処理装置８により更新された場合（Ｓ２８）には、その更新された字幕データでＳ２３以降の処理を繰り返す。また、Ｓ２４、Ｓ２５、Ｓ２８の処理において高解像度放送の字幕表示が再開された場合には、Ｓ２１以降の処理を繰り返す。
【００２９】
以上の処理において、低解像度放送の字幕データが記憶された高解像度放送  の字幕データと一致しているかどうかは、高解像度放送と低解像度放送とで異なる制御符号を使用する可能性があるため、制御符号を除いたテキストデータの比較により判断する。このとき、高解像度放送と低解像度放送とで漢字表示の内容が異なる可能性があるため、一定値以上の割合で一致している場合に、字幕データが一致しているとみなすこととする。字幕データが一致しているかどうかは、低解像度放送の遅延を考慮して放送局側が低解像度放送データを早めに送出する可能性があるため、低解像度放送の複数の字幕データと比較して判断することが望ましい。
【００３０】
（第２の実施の形態）
次に、本発明に係るデジタル放送受信装置の第２の実施の形態について説明する。図１に示すデジタル放送受信装置の構成は、以下に説明する第２の実施の形態においても共通する。したがって、重複した構成の説明を省略する。
【００３１】
第２の実施の形態では、あらかじめ算出した遅延時間差に基づいて切り替えを行う場合を例に説明する。第２の実施の形態において、中央処理装置８は、高解像度放送および低解像度放送に含まれる内容が一致する字幕データの表示タイミングの差から算出した遅延時間差（低解像度放送遅延時間）を第２の記憶手段である記憶装置９に記憶する第２の記憶処理手段として機能する。中央処理装置８は、切替制御手段として、高解像度放送に含まれる字幕表示が途切れたときに、記憶装置９の記憶している遅延時間差が経過した後に、高解像度放送の字幕表示が再開されていないことを条件として、出力切替部６に、低解像度放送映像音声デコーダ５から高解像度放送映像音声デコーダ４への切り替えを行わせる。
【００３２】
この処理につき、図６および図７を参照して詳しく説明する。図６は、低解像度放送遅延時間算出の処理の流れを示すフローチャートであり、図７は、放送切替処理の流れを示すフローチャートである。
【００３３】
第２の実施の形態では、あらかじめ、高解像度放送に含まれる字幕データの内容と一致する低解像度放送に含まれる字幕データを検索し、内容が一致する字幕データの表示タイミングの差から低解像度放送遅延時間を算出しておく。このため、高解像度放送の字幕データを受信すると、その字幕データは保存される（Ｓ３１）。続いて低解像度放送の字幕データを受信すると（Ｓ３２）、Ｓ３１にて保存された字幕データと比較し（Ｓ３３）、一致する字幕データがあった場合（Ｓ３４）には、それぞれの表示タイミングを算出し（Ｓ３５）、その表示タイミングの差から低解像度放送遅延時間を算出する（Ｓ３６）。この低解像度放送遅延時間は、切り替えに要する時間を考慮して算出されるものとする。
【００３４】
一致する字幕データがなかった場合（Ｓ３４）には、高解像度放送の字幕データが更新されるまで（Ｓ３７）、Ｓ３２以下の処理を繰り返す。高解像度放送の字幕データが更新された場合には（Ｓ３７）、Ｓ３２以下の処理を繰り返す。
【００３５】
このようにして低解像度遅延時間を算出した後は、中央処理装置８は、高解像度放送の字幕表示が途切れたとき、その低解像度遅延時間の経過後に、高解像度放送の字幕表示が再開されていないことを条件として、出力を高解像度放送へ切り替える。すなわち、高解像度放送が受信可能であって（Ｓ４１）、高解像度放送を選択していないとき（Ｓ４２）には、高解像度放送の字幕表示が消去されて（Ｓ４３）低解像度遅延時間が経過し（Ｓ４４）、高解像度放送の字幕表示が再開されていなければ（Ｓ４５）、中央処理装置８は、出力切替部６に、低解像度放送から高解像度放送への切り替えを行わせる（Ｓ４６）。低解像度遅延時間が経過する前、あるいは経過した時点で高解像度放送の字幕表示が再開されていた場合（Ｓ４７、Ｓ４５）には、その再開された字幕表示に対してＳ４３以下の処理を繰り返す。
【００３６】
高解像度放送が受信できず（Ｓ４１）、高解像度放送を選択していたときには（Ｓ４８）、中央処理装置８は、出力切替部６をして、出力を低解像度放送に切り替えさせる（Ｓ４９）。
【００３７】
上述の第１または第２の実施の形態において、デジタル放送受信装置は、次のようなコンピュータプログラムを記憶装置９にインストールすることによっても、上述と同様の動作を実現することができる。そのためには、コンピュータプログラムを、デジタル放送受信装置の制御コンピュータに対し、受信した高解像度放送と低解像度放送とがサイマル放送であり、双方の放送に字幕データが含まれ、かつ低解像度放送から高解像度放送に出力を切り替える際に、双方の放送の字幕が表示されていないタイミングで切り替えを実行する手順を実行させるためのものとするのが好ましい。
【００３８】
さらには、上記の切り替えを実行する手順を、高解像度放送に含まれる字幕表示が消去されるタイミングを監視する手順（Ｓ２１）と、高解像度放送の字幕表示が途切れたとき、その字幕表示が途切れる直前の字幕データの内容を記憶する手順（Ｓ２２）と、低解像度放送の字幕データで、保存されている高解像度放送の字幕データと内容が一致するものを探す手順（Ｓ２３）と、保存されている高解像度放送の字幕データの内容と一致する低解像度放送の字幕表示が消去されたとき、高解像度放送の字幕表示が再開されているかを確認する手順（Ｓ２６）と、高解像度放送の字幕表示が再開されていない場合に出力を高解像度放送へ切り替える手順（Ｓ２７）とを含むものとするのが、より好ましい。
【００３９】
また、上記の確認する手順（Ｓ２６）において高解像度放送の字幕表示が再開されていることが確認された場合に、記憶する手順（Ｓ２２）、探す手順（Ｓ２３）、および確認する手順（Ｓ２６）を繰り返すコンピュータプログラムをインストールするのが好ましい。
【００４０】
さらに、切り替える手順が、あらかじめ高解像度放送に含まれる字幕データの内容と一致する低解像度放送に含まれる字幕データを検索し、内容が一致する字幕データの表示タイミングの差から遅延時間差を算出しておく手順（Ｓ３６）と、高解像度放送の字幕表示が途切れたときには、遅延時間差の経過後に、高解像度放送の字幕表示が再開されていないことを条件として、出力を高解像度放送へ切り替える手順（Ｓ４６）とを含むようなコンピュータプログラムをインストールするのが好ましい。
【００４１】
このように、本発明の実施の形態に係るデジタル放送受信装置または本発明の実施の形態に係るコンピュータプログラムを用いると、高解像度放送の字幕と低解像度放送の字幕を利用し、それぞれの字幕が表示されていないタイミングで、低解像度放送から高解像度放送へと出力を切り替えることができ、また、直前の字幕の内容が一致していることを条件として、あるいはあらかじめ算出した遅延時間差に応じて、出力を切り替えることができる。これにより、会話が行われていないタイミングで出力の切り替えが行われ、視聴者による番組内容の把握への影響を小さく抑えることができる。また、高解像度放送の出力を遅らせるものではないため、放送のリアルタイム性を確保でき、大容量の記憶媒体を追加する必要もない。
【００４２】
なお、上述の実施の形態は、放送に字幕表示のためのデータが含まれている場合の処理に関するものであるが、この処理に伴って、実際に字幕を表示しても、あるいは表示しなくても良い。
【産業上の利用可能性】
【００４３】
以上の説明ではデジタル放送受信装置として地上波デジタル放送を受信する車載用の受信装置を想定したが、本発明はこのような用途に限定されるものではなく、デジタル放送の高解像度放送と低解像度放送とを自動的に切り替えて出力することのできる受信装置であれば、どのような形態でも本発明を同様に実施できる。
【図面の簡単な説明】
【００４４】
【図１】本発明の第１の実施の形態に係るデジタル放送受信装置のブロック構成図である。
【図２】図１に示すデジタル放送受信装置によって高解像度放送と低解像度放送との自動切り替えを行う基本的な処理の流れを示すフローチャートである。
【図３】送信側において低解像度放送の出力が高解像度放送の出力よりも遅れる理由を説明する図である。
【図４】受信側において低解像度放送の出力が高解像度放送の出力よりもさらに遅れる理由を説明する図である。
【図５】図１に示すデジタル放送受信装置によって低解像度放送から高解像度放送への切替処理を行う流れを示すフローチャートである。
【図６】図１に示すデジタル放送受信装置によって行われる低解像度放送遅延時間算出の処理の流れを示すフローチャートである。
【図７】図１に示すデジタル放送受信装置によって行われる放送切替処理の流れを示すフローチャートである。
【符号の説明】
【００４５】
１  チューナ
２  ＯＦＤＭ復調部
３  多重分離部
４  高解像度放送映像音声デコーダ（第１の受信手段）
５  低解像度放送映像音声デコーダ（第２の受信手段）
６  出力切替部（切替手段）
７  出力部
８  中央処理装置（切替制御手段、第１の記憶処理手段、第２の記憶処理手段）
９  記憶装置（第１の記憶手段、第２の記憶手段）
【図１】
0005200504.tif 000002
【図２】
0005200504.tif 000003
【図３】
0005200504.tif 000004
【図４】
0005200504.tif 000005
【図５】
0005200504.tif 000006
【図６】
0005200504.tif 000007
【図７】
0005200504.tif 000008